(57)【特許請求の範囲】
【請求項１】
所定間隔あけて立設した複数の支柱の間に仕切り部材を配設し、少なくとも１つの前記支柱は、該支柱に対する前記仕切り部材の角度を変更できるようになっている仕切り装置であって、
前記仕切り部材を挟んで両端に配設される前記支柱同士は、互いに対向する対向面の所定位置に係合突部がそれぞれ設けられ、前記仕切り部材の側縁には、前記係合突部に係合される係合凹部がそれぞれ設けられており、
前記仕切り部材の角度をつけて取付けできるようになっている支柱は、角度をつけて前記仕切り部材を取付け可能な接続部材を備え、前記接続部材は、前記支柱に固定される一方の蝶番片と、前記仕切り部材に固定される他方の蝶番片と、が相対的に揺動可能な蝶番であり、前記他方側の蝶番片に前記係合凹部に係合可能な係合突部が設けられていることを特徴とする仕切り装置。
【請求項２】
前記蝶番は、両方の蝶番片を所定の角度で固定する固定手段を備えていることを特徴とする請求項１に記載の仕切り装置。
【請求項３】
前記一方の蝶番片は、前記支柱における該支柱と前記仕切り部材とで成す内角側の面または外角側の面に固定されることを特徴とする請求項１または２に記載の仕切り装置。
【発明の詳細な説明】
【技術分野】
【０００１】
本発明は、所定の空間を仕切り、該仕切られた空間内への人の立ち入りを防ぐようにする仕切り装置に関する。
【背景技術】
【０００２】
工場やサーバールーム等において、安全性の観点から人の立ち入りを防ぐために、床面から立設する複数の支柱と、隣接する支柱同士の間に配設される仕切り部材と、を連設して所定のスペースを区切る仕切り装置が用いられている。
【０００３】
所定のスペースを区切る際には、所定のスペースの外形形状に合わせて、断面矩形状の支柱の面に対して仕切り部材の角度を変えて設置することがあり、このように仕切り部材の角度を変更できる機構を備えた仕切り装置として、特許文献１に示すようなものがある。各支柱の対向面間に直線的に仕切り部材を設置する（仕切り部材の仕切り面部が支柱の対向面と直交するように設置する）場合には、複数の各支柱にピンエレメントを複数備えた連結具を上下に離間して固定し、上下のピンエレメントを仕切り部材の側方部材の上下の空洞部に差し込むことで、仕切り部材を支柱に対して直線的に支持する設置態様が用いられているとともに、支柱の対向面に対して角度をつけて仕切り部材を設置する場合には、直線的に設置された仕切り部材の端部にヒンジを設け、このヒンジにより支柱の対向面に対する仕切り部材の取付け角度を変更可能に支持し、支柱の対向面に対して角度をつけて仕切り部材を支持する設置態様が用いられている。
【先行技術文献】
【特許文献】
【０００４】
【特許文献１】欧州特許第１１６７６５８号明細書（第３頁、第６図）
【発明の概要】
【発明が解決しようとする課題】
【０００５】
しかしながら、特許文献１の仕切り装置にあっては、支柱に対して直線的に設置した仕切り部材に対してヒンジを固定し、そのヒンジにより角度をつけて仕切り部材を連設するようになっているため、支柱に対して直線的に仕切り部材を設置する場合（仕切り部材は支柱に接続される。）と、支柱に対して角度をつけて仕切り部材を設置する場合（仕切り部材はヒンジを介して隣接する仕切り部材に接続される。）と、の設置態様をそれぞれ変更する必要があり、仕切り部材の設置作業が煩雑であった。
【０００６】
本発明は、このような問題点に着目してなされたもので、仕切り部材の設置作業が簡便な仕切り装置を提供することを目的とする。
【課題を解決するための手段】
【０００７】
前記課題を解決するために、本発明の仕切り装置は、
所定間隔あけて立設した複数の支柱の間に仕切り部材を配設し、少なくとも１つの前記支柱は、該支柱に対する前記仕切り部材の角度を変更できるようになっている仕切り装置であって、
前記仕切り部材を挟んで両端に配設される前記支柱同士は、互いに対向する対向面の所定位置に係合突部がそれぞれ設けられ、前記仕切り部材の側縁には、前記係合突部に係合される係合凹部がそれぞれ設けられており、
前記仕切り部材の角度をつけて取付けできるようになっている支柱は、角度をつけて前記仕切り部材を取付け可能な接続部材を備え、前記接続部材は、前記支柱に固定される一方の蝶番片と、前記仕切り部材に固定される他方の蝶番片と、が相対的に揺動可能な蝶番であり、前記他方側の蝶番片に前記係合凹部に係合可能な係合突部が設けられていることを特徴としていることを特徴としている。
この特徴によれば、接続部材に係合突部が設けられていることにより、支柱に対して角度をつけて設置する仕切り部材の係合凹部を接続部材の係合突部に係合させて当該仕切り部材を当該支柱に取り付けることが可能であるため、支柱に対して仕切り部材を直線的に設置する態様と、支柱に対して角度をつけて仕切り部材を設置する態様と、が共通化され、仕切り部材の設置作業が簡便である。さらに、蝶番は揺動可能であるから支柱に対する仕切り部材の角度を適宜調整でき、仕切り部材の設置作業が簡便である。
【０００９】
前記蝶番は、両方の蝶番片を所定の角度で固定する固定手段を備えていることを特徴としている。
この特徴によれば、固定手段により両方の蝶番片を固定することにより、両方の蝶番片の所定の角度が保持されるため、仕切り部材の設置・撤去の都度両方の蝶番片の角度を調整する必要が無く、仕切り部材の設置・撤去作業が極めて簡便である。
【００１０】
前記一方の蝶番片は、前記支柱における該支柱と前記仕切り部材とで成す内角側の面または外角側の面に固定されることを特徴としている。
この特徴によれば、支柱における支柱と仕切り部材とで成す内角側または外角側の面に固定された一方の蝶番片に対して、他方の蝶番片を介して仕切り部材が揺動するため、支柱と仕切り部材との隙間を小さくして仕切り装置をコンパクトにできる。
【図面の簡単な説明】
【００１１】
【図１】実施例における仕切り装置を示す斜視図である。
【図２】仕切り部材の通常時（直線状）の設置態様を示す分解斜視図である。
【図３】支柱に対して角度をつけて仕切り部材が設置される設置態様を示す斜視図である。
【図４】蝶番の構造を示す分解斜視図である。
【図５】（ａ）は、仕切り部材が支柱に対して蝶番を介して取り付けた状態を示す上面断面図であり、（ｂ）は、（ａ）の状態から支柱に対する仕切り部材の取付け角度を変更した状態を示す上面断面図である。
【発明を実施するための形態】
【００１２】
本発明に係る仕切り装置を実施するための形態を実施例に基づいて以下に説明する。
【実施例】
【００１３】
実施例に係る仕切り装置につき、図１から図５を参照して説明する。
【００１４】
図１に示されるように、本実施例の仕切り装置１は、工場やサーバールーム等において、安全の観点から人の立ち入りを防ぐために、機械周辺やサーバ周辺を区画するものである。この仕切り装置１は、床面から立設する複数の支柱２，２，…と、隣接する支柱２，２，…同士の間に渡って配設される仕切り部材３，３，…と、を備え、支柱２，２，…及び仕切り部材３，３，…が無端状に連設されることにより構成されている。
【００１５】
また、仕切り装置１は、隣接する支柱２，２間に仕切り部材３が設けられず開放された出入口部４，４が形成されており、この出入口部４，４を介して仕切り装置１により区画された所定の空間内に出入りすることができるようになっている。また、仕切り装置１は、出入口部４，４をそれぞれ開閉する引き戸装置５と、開閉扉６と、が設けられており、引き戸装置５及び開閉扉６により、通常時には、出入口部４，４を閉塞しておくことができるようになっている。
【００１６】
また、本実施例の仕切り装置１は、複数の直角部１Ａ，１Ａ，…と、２箇所の鈍角部１Ｂ，１Ｂと、を備えている。この直角部１Ａは、支柱２１を構成する四方の側面のうち、隣り合う２つの側面に対して、後述する仕切り部材３３，３３の面部がそれぞれ直交するように設置されることにより仕切り部材３３，３３で成す角度が直角となるように形成されている（図１画面左側参照）。尚、直角部１Ａ，１Ａ，…は、略同一の構成であるため、図１の画面左側の直角部１Ａのみ説明し、他の直角部１Ａ，１Ａ，…の説明を省略する。
【００１７】
鈍角部１Ｂは、支柱２２の１つの面に対して、前記仕切り部材３の面部が直交するように設置されるとともに、支柱２２における仕切り部材３が設置された面の反対側の面に対して、仕切り部材３４が角度をつけて設置されることで形成されており、支柱２２に設置された仕切り部材３と仕切り部材３４とで成す角度（内角側）が鈍角となっている。尚、鈍角部１Ｂ，１Ｂは、略同一の構成であるため、一方の鈍角部１Ｂのみ説明し、他方の鈍角部１Ｂの説明を省略する。また、ここで言う支柱２１，２２は、通常の支柱２と同一形状のものであり、仕切り部材３３，３４は、通常の仕切り部材３と同一形状のものであるが、わかりやすく説明するために異なる符号を付している。
【００１８】
尚、本実施例の仕切り装置１は、２箇所の鈍角部１Ｂ，１Ｂを備えている態様について説明したが、設けられる鈍角部１Ｂは１箇所または３箇所以上の複数箇所であってもよいし、仕切り装置の角部を全て鈍角部１Ｂで形成してもよい。さらに尚、仕切り装置は、区画するスペースの形状によっては、支柱に対して角度をつけて仕切り部材を設置することで、支柱に設置された２つの仕切り部材で成す角度が鋭角を成す鋭角部を形成してもよい。
【００１９】
図２に示されるように、支柱２は、金属製であり、押出形成により形成される断面視略矩形状の中空の棒状部材であり、その上端開口部は図示しないキャップ等により塵埃が入り込まないように閉塞されている。また、支柱２は、その下端開口部に挿通される差し込み部（図示せず）を備えた脚部２ｂにより床面に立設しており、この脚部２ｂがアンカーボルトへのナットの固定等により床面に固定されている。また、図２の拡大部に示されるように、支柱２は、該支柱２を構成する各側面の上端部及び下端部に埋込ナット部７，７がそれぞれ形成されており、これら埋込ナット部７，７，…には、雄ネジ材８が着脱可能となっている。この雄ネジ材８は、後述する仕切り部材３の通常時の設置態様に用いられる係合突起部である。
【００２０】
また、仕切り部材３は、支柱２，２間を仕切る面部を構成する格子状部材３１と、格子状部材３１の上下及び側部の辺を囲う枠体３２と、から成る。格子状部材３１は、上下に延びる複数の線材３１１，３１１，…と、横方向に延びる複数の線材３１２，３１２，…と、を備え、線材３１１，３１１，…及び線材３１２，３１２，…間には、前後に連通する複数の連通部３１３，３１３，…が形成されており、連通部３１３，３１３，…を介して仕切り装置１で区切られた所定の空間内の様子を確認できるようになっている。また、面部が線材３１１，３１１，…及び線材３１２，３１２，…により形成される格子状部材３１であることから、仕切り部材３を軽量化することができる。さらに、格子状部材３１は、枠体３２により補強されているため、仕切り部材３の面形状を保持することができる。尚、支柱２，２間を仕切る面部は、化粧板等のパネルであってもよい。
【００２１】
枠体３２は、その側縁である側部枠部材３５，３５を備え、側部枠部材３５，３５の上端側には、開口部分から上方に向けて傾斜する切欠き溝９，９（係合凹部）が形成されているとともに、側部枠部材３５，３５の下端部には、水平方向に延びる切欠き溝９’，９’（係合凹部）が形成されている。
【００２２】
次に、仕切り部材３の通常時の設置態様について説明する。通常時とは、支柱２，２の対向面に仕切り部材３の面部（格子状部材３１）が直交するように該仕切り部材３が直線的に取付けられる時のことを指す。支柱２，２同士の対向面には、それぞれの上下の埋込ナット部７，７，…に雄ネジ材８，８，…が取付けられている。仕切り部材３は、切欠き溝９，９を支柱２，２の上端側の雄ネジ材８，８に係止させるとともに、切欠き溝９’，９’を支柱２，２の下端側の雄ネジ材８，８に係止させ、各雄ネジ材８，８，…にナット部材１０，１０，…を締め込むことにより、支柱２，２間に設置される。すなわち、仕切り部材３は、支柱２，２間に着脱可能となっており、仕切り装置１における出入口部４の位置を容易に適宜変更することができる。
【００２３】
また、仕切り部材３を切欠き溝９，９に沿って上方側から斜め下方側に移動させながら、支柱２，２の上端側の雄ネジ材８，８に係止させることにより、切欠き溝９’，９’の高さ位置が支柱２，２の下端側の雄ネジ材８，８の高さ位置と合致するようになっており、支柱２，２間に仕切り部材３を設置する作業を行いやすい。
【００２４】
尚、図示しないが、直角部１Ａを構成する前記した支柱２１には、該支柱２１における隣り合う２つの側面の各埋込ナット部７，７，…に雄ネジ材８，８，…が取付けられることにより、仕切り部材３３，３３が互いに直角となるように設置される。
【００２５】
次に、図３から図５を用いて、鈍角部１Ｂを構成する支柱２２に対して角度をつけて仕切り部材３４が設置される設置態様について説明する。
【００２６】
図３に示されるように、支柱２２は、仕切り部材３４側の側面に対して該仕切り部材３４がその取付け角度を変更できるように設置されている。詳しくは、支柱２２と仕切り部材３４とは、上下の蝶番１１，１１（接続部材）により接続されており、これにより支柱２２に対する仕切り部材３４の取付け角度を変更できるようになっている。
【００２７】
図４に示されるように、蝶番１１は、一方側の蝶番片１２と、他方側の蝶番片１３と、蝶番片１２及び蝶番片１３を連結する上下に延びるボルト軸１４と、蝶番片１２に固定されたボルト軸１４に螺合するナット１５と、を備えており、蝶番片１２と蝶番片１３とがボルト軸１４の軸を中心として相対的に揺動可能となっている。
【００２８】
一方側の蝶番片１２は、垂直部１２ａと、垂直部１２ａの上下端から同一方向に折れ曲がる水平部１２ｂ，１２ｂと、から断面視コ字状に形成されている。この垂直部１２ａには、後述する固定ボルト１７を挿通可能な貫通孔１２ｃが形成されているとともに、水平部１２ｂ，１２ｂには、他方側の蝶番片１３側に張り出す張出部１２ｄ，１２ｄがそれぞれ形成されている。この張出部１２ｄ，１２ｄには、ボルト軸１４を挿通可能な孔１２ｅ，１２ｅ（片方のみ図示）が形成されているとともに、上方側の張出部１２ｄには、その上面側にナット１５が固着されており、ナット１５の内周の雌ネジ部と孔１２ｅとが連続するようになっている。
【００２９】
他方側の蝶番片１３は、垂直部１３ａと、垂直部１３ａの一方側の蝶番片１２側に設けられる筒状部１３ｂと、から形成されており、この筒状部１３ｂは、蝶番片１２の張出部１２ｄ，１２ｄ間に配置されるようになっている。垂直部１３ａの片面側には、外周面に雄ネジが形成されたネジ突起部１６が設けられている。
【００３０】
一方側の蝶番片１２と他方側の蝶番片１３とは、張出部１２ｄ，１２ｄと筒状部１３ｂとにボルト軸１４が下方から挿通され、ボルト軸１４の先端がナット１５に螺合されている。ボルト軸１４とナット１５が緩く螺合されている状態にあっては、一方側の蝶番片１２及びボルト軸１４と、他方側の蝶番片１３とが相対的に揺動可能となっている。また、ボルト軸１４とナット１５がきつく螺合された状態にあっては、ボルト軸１４とナット１５により張出部１２ｄ，１２ｄが変形され、その変形された張出部１２ｄ，１２ｄが筒状部１３ｂを上下から締め付けるように作用することにより、一方側の蝶番片１２と他方側の蝶番片１３との相対的な揺動を防止される。すなわち、ボルト軸１４及びナット１５は、一方側の蝶番片１２と他方側の蝶番片１３とを所定の角度で固定する固定手段として機能している。
【００３１】
図３に示されるように、蝶番１１，１１は、支柱２２における鈍角部１Ｂの内角側の側面に設けられた埋込ナット部７，７（ここでは図示せず）に対し、固定ボルト１７，１７で一方側の蝶番片１２，１２が固定されることにより取付けられている。また、他方側の蝶番片１３，１３のネジ突起部１６，１６には、切欠き溝９及び切欠き溝９’が係止されており、ネジ突起部１６，１６にナット部材１０，１０，…を締め込むことにより、蝶番片１３，１３に仕切り部材３４が固定的に接続されている。すなわち、ネジ突起部１６，１６は、支柱２２に対して角度をつけて仕切り部材３４を設置する設置態様に用いられる係合突起部として機能しており、このネジ突起部１６，１６は、支柱２２に対し蝶番１１，１１を介して取付けられている。
【００３２】
このように、蝶番１１，１１にネジ突起部１６，１６が設けられていることにより、支柱２２に対して角度をつけて設置する仕切り部材３４の切欠き溝９及び切欠き溝９’をネジ突起部１６，１６に係合させて当該仕切り部材３４を支柱２２に設置することが可能である。すなわち、前述した仕切り部材３の通常時の設置態様と、支柱２２に対して角度をつけて仕切り部材３４を設置する態様と、が共通化されることとなり、設置態様ごとに別々の取付け手段を用意する必要が無く、鈍角部１Ｂを構成する仕切り部材３，３４の設置作業が簡便である。
【００３３】
また、上記のように仕切り部材３４の片側の側縁を蝶番１１，１１により支柱２２に接続した状態で、ボルト軸１４とナット１５との緊締を緩めた状態にすると、支柱に固定された一方側の蝶番片１２及びボルト軸１４に対して他方側の蝶番片１３が揺動できるようになる。つまり仕切り部材３４が支柱２２に対して揺動するようになり、支柱２２に対する仕切り部材３４の前記取付け角度の調整を行うことができるため、仕切り部材３４の設置作業、特に仕切り装置１の新設作業が容易である（図５参照）。
【００３４】
また、ボルト軸１４とナット１５とをきつく緊締すると、支柱２２に対する仕切り部材３４の前記取付け角度が決定するため、例えば、機械の搬入の際や新しい仕切り部材に交換する際等に、その都度一方側の蝶番片１２と他方側の蝶番片１３との角度を調整する必要が無く、仕切り部材３４を着脱する作業が容易となる。
【００３５】
また、蝶番１１は、一方の蝶番片１２が、その支柱２２における該支柱２２と仕切り部材３４とで成す内角側の面に固定されているため、支柱２２と仕切り部材３４の隙間に他方の蝶番片１３のみが存在することとなり、当該隙間を小さくして仕切り装置１をコンパクトにできる。尚、一方の蝶番片１２が支柱２２における該支柱２２と仕切り部材３４とで成す外角側の面に固定されていても、上記と同様の効果が得られる。
【００３６】
また、仕切り部材３の通常時の設置態様に用いる埋込ナット部７，７を利用して蝶番１１，１１が支柱２２に固定されるため、仕切り部材３４の切欠き溝９，９’に対するネジ突起部１６，１６の高さ位置の位置決めが容易である。
【００３７】
尚、前記実施例では、蝶番１１により、支柱２２に対して仕切り部材３４を取付けていたが、例えば、内角が所定の角度となるように屈曲して形成されたプレート状の接続部材を用い、当該接続部材の一端を支柱２２に固定するとともに、当該接続部材の他端に設けられた係合突起部に仕切り部材３４を取付けることで、支柱２２に対する仕切り部材３４の取付け角度を所定の角度で取付けるようになっていてもよい。さらに尚、内角の角度が異なる複数種類の接続部材を用意すれば、支柱２２と仕切り部材３４との設置に用いる接続部材を変更することで、支柱２２に対する仕切り部材３４の取付け角度を適宜変更することが可能となる。
【００３８】
また、図示しないが接続部材の変形例として、次のようなものもある。この接続部材は、支柱２２の一面を少なくとも左右方向に覆うように左右方向における断面が円弧状の板材が固定されており、その板材には円弧状に沿ってスリットが設けられ、そのスリットには、支柱２２側から前記板材の外方に突出する係止ボルトが挿通されている。この係止ボルトは、スリットに沿って移動可能となっており、該係止ボルトにナットを締め付けることで前記板材を挟んでスリット上の所定位置で位置決めできるようになっている。したがって、係止ボルトをスリット上での位置を変更することにより、支柱２２の前記一面に対する該係止ボルトの軸方向の向きが変更されるようになっており、係止ボルトに仕切り部材３４を取付けることにより、支柱２２に対する仕切り部材３４の取付け角度を変更できる。
【００３９】
尚、前記実施例では、蝶番１１のボルト軸１４及びナット１５を、一方側の蝶番片１２と他方側の蝶番片１３とを所定の角度で固定する固定手段として説明したが、これに限られず、例えば、他方側の蝶番片の筒状部の側部にネジ孔を形成し、当該ネジ孔にネジを緊締することで、当該ネジがボルト軸１４の周面を圧接し、支柱２２に固定される一方側の蝶番片１２及びボルト軸１４に対して他方側の蝶番片１３が揺動することを防止するようなもの等であってもよい。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、前記実施例では、係合突起部に係合される係合凹部を、切欠き溝９，９及び切欠き溝９’，９’として説明したが、これに限られず、仕切り部材の側縁に設けられるスリット等であってもよく、このスリットに係合突起部を挿通することで仕切り部材が支柱２，２間に設置される態様であってもよい。
【００４２】
また、蝶番１１は、支柱２２の埋込ナット部７，７以外の位置に一方側の蝶番片１２を溶接等により固着して取付けられてもよいが、ネジ突起部１６，１６の高さ位置の位置決めや設置のしやすさ等の観点から前記実施例のように、埋込ナット部７，７を利用して蝶番１１，１１が支柱２２に固定される態様の方が好ましい。
【符号の説明】
【００４３】
１                仕切り装置
１Ａ              直角部
１Ｂ              鈍角部
２，２１，２２    支柱
３，３３，３４    仕切り部材
７                埋込ナット部
８                雄ネジ材（通常時の設置態様に用いられる係合突起部）
９，９’          切り欠き溝（係合凹部）
１１              蝶番（接続部材）
１２              一方の蝶番片
１３              他方の蝶番片
１４              ボルト軸（固定手段）
１５              ナット（固定手段）
１６              ネジ突起部（角度をつけて設置する設置態様に用いられる係合突起部）
３２              枠体
３５，３５        側部枠部材（仕切り部材の側縁）
【図１】
0006557031.tif 000002
【図２】
0006557031.tif 000003
【図３】
0006557031.tif 000004
【図４】
0006557031.tif 000005
【図５】
0006557031.tif 000006